(57)【特許請求の範囲】
【請求項１】
粘着テープ付き部品の製造方法であって、
複数の成形部品が一体化された一体成形品を準備するステップと、
一方の面側にライナーが配置された粘着テープを準備するステップと、
前記粘着テープの他方の面を前記一体成形品に貼り合わせるステップと、
前記粘着テープが貼り合わされた前記一体成形品を移動装置によって移動させるステップと、
前記粘着テープが貼り合わされた前記一体成形品の所定箇所を前記粘着テープも含めて回転刃によって切断するステップと、を備え、
前記移動させるステップと前記切断するステップとを交互に繰り返すことにより、互いに分離した複数の粘着テープ付き部品を取得する、粘着テープ付き部品の製造方法。
【請求項２】
前記一体成形品を切断するステップにおいて、前記ライナーの端部が未切断状態のまま前記複数の成形部品を互いに分離させるように前記一体成形品を切断する請求項１に記載の粘着テープ付き部品の製造方法。
【発明の詳細な説明】
【技術分野】
【０００１】
本発明は、粘着テープ付き部品の製造方法に関する。特に成形部品に粘着テープが貼り合わされた部品の製造方法に関する。
【背景技術】
【０００２】
ガラスやセラミックといった穴開けが困難な部材にクリップなどの成形部品を取り付けたい場合がある。この場合、成形部品に粘着テープを貼り合わせた部品を用意し、粘着テープによってガラス等の部材に成形部品を取り付けることが行われている。このような粘着テープ付き部品を製造するためには、各成形部品を個別に成形した後に、成形部品それぞれに粘着テープを貼り合わせるのが一般的である。但し、例外的な製造方法として、ちぎれやすい不織布に接着剤を含浸させたテープが貼り付けられた部品を用意するために、複数の部品の集合体に予め溝を設けておき、テープを貼り付けた後にその溝を起点として集合体から各部品をテープと共に分離する方法が例えば特許文献１に開示されている。
【先行技術文献】
【特許文献】
【０００３】
【特許文献１】特開平０９−２５４３００号
【発明の概要】
【発明が解決しようとする課題】
【０００４】
しかしながら、上述した一般的な製造方法では、成形部品それぞれに粘着テープを貼り合わせるため、テープの貼り合わせに先立ってガイド部材等を用いて各成形部品を順に整列させる必要があり、ガイド部材などの構成が複雑になる場合があった。また、ガイド部材での整列を行う際に成形部品が上手に整列されずに、ガイド部材に挟まってしまい製造装置を停止させなければならない場合があった。
【０００５】
また、上述した例外的な製造方法は、ちぎれるような粘着テープを用いた部品にしか適用できず、しかも粘着テープをちぎる方法であるため、必ずしも望ましい位置で粘着テープがちぎれずに、粘着テープが手前で切れてしまい粘着領域が不十分であったり、逆に粘着テープが長めに切れてしまい粘着領域が必要以上の大きさになってしまい他の部材等にくっついてしまったりする場合があった。
【課題を解決するための手段】
【０００６】
本発明は、粘着テープ付き部品の製造方法に関するものであって、１つの態様において、複数の成形部品が一体化された一体成形品を準備するステップと、一方の面側にライナーが配置された粘着テープを準備するステップと、粘着テープの他方の面を一体成形品に貼り合わせるステップと、粘着テープが貼り合わされた一体成形品の所定箇所を粘着テープも含めて切断刃によって切断して、複数の粘着テープ付き部品を取得するステップと、を備えている。
【０００７】
上記製造方法では、複数の成形部品が一体化された一体成形品に粘着テープを貼り合わせた後に、この一体成形品の所定箇所を切断刃によって切断している。一体成形品の方が個別の成形部品よりも大きいため、ガイド部材に挟まることを避けることができ、テープの貼り合わせ作業を容易にすることができる。また、一体成形品のテープ接着面も同様に大きな面積となるため、テープの貼り合わせ作業を行い易くなる。さらに、テープを貼り合わせた後に所定箇所で切断しているため、粘着テープによる粘着領域を適正な範囲とすることができる。
【０００８】
上記製造方法において、切断刃が回転刃であってもよい。切断刃が回転刃であることにより、一体成形品の切断面にバリが出来にくくなり、粘着テープ付き部品の外観を綺麗に仕上げることができる。
【０００９】
上記製造方法において、一体成形品を切断するステップで、ライナーの端部が未切断状態のまま複数の成形部品を互いに分離させるように一体成形品を切断してもよい。この場合、一体成形品を構成する各成形部品は分離されているもののライナーによって互いに連なった状態であるため、粘着テープ付き部品のハンドリング性を向上させることができる。しかも、各成形部品や粘着テープの粘着層は切断されているため、各部品同士の接着は防止できる。
【発明の効果】
【００１０】
本発明によれば、粘着テープ付き部品を製造する際に、粘着テープの貼り合わせの作業を容易に行うことができる。
【図面の簡単な説明】
【００１１】
【図１】本実施形態に係る製造方法で製造される粘着テープ付きクリップを示す斜視図である。
【図２】図１に示すクリップに貼り合わされる粘着テープの一例を示す断面図である。
【図３】本実施形態に係る製造方法に用いられる製造装置を示す概略構成図である。
【図４】複数のクリップが一体化された一体成形品を示す斜視図である。
【図５】一体成形品を切断する際に粘着テープのライナーの一部を残した場合の例を示す斜視図である。
【図６】本実施形態に係る製造方法で製造される別の部品を示す斜視図である。
【発明を実施するための形態】
【００１２】
まず、本実施形態に係る製造方法によって製造される粘着テープ付きクリップの構成について、図１及び図２を参照して説明する。
【００１３】
粘着テープ付きクリップ１は、成形部品２及び粘着テープ３から構成される。成形部品２は、後述するように、射出成形によって形成された一体成形品２０を各部品に分割したものの一つであり、クリップ部４及びベース部５を含んでいる。クリップ部４は、ベース部５側に引っかけ用の凹み部６を有しており、この凹み部６に他の部材（不図示）を引っかけることにより、クリップとして機能するように構成されている。
【００１４】
粘着テープ３は、図１及び図２の（ａ）に示されるように、粘着層７及びライナー８を含んでいる。粘着テープ３の粘着層７が成形部品２の下面に貼り合わされる。粘着層７は、例えばアクリル系粘着剤をライナー８に積層することによって形成される。このとき粘着層７は片面または両面に粘着性を有し、粘着層７が粘着性のない表面を有する場合は当該表面にさらに粘着剤を塗布することができる。粘着層７は、アクリル系の粘着剤以外に、合成ゴム系の粘着剤、天然ゴム系の粘着剤、又は、シリコーン系の粘着剤等を用いて形成してもよい。
【００１５】
このような粘着剤から構成される粘着テープ３は手でちぎる（切断する）のが難しいが、本発明の方法により、このような粘着テープ付き部品も容易にかつきれいに切断することができる。ライナー８は、例えば紙、例えば、ポリエチレン、ポリプロピレン、ポリエステル、または酢酸セルロース等のプラスチック材料、あるいはこのようなプラスチック材料で被覆又はそれを積層された紙やその他の材料などを挙げることができる。これらのライナーは、そのまま使用してもよいが、シリコーン処理あるいはその他の方法で処理して剥離特性を向上させた後に使用することができる。
【００１６】
粘着テープは、図２の（ｂ）に示されるように、二層となる粘着層１４，１７の間に発泡樹脂・フィルム、または不織布１５が配置されるように積層され、粘着層１７の一方の面（図示下面）にライナー１８が貼り付けられた構成のテープ１３でもよい。この場合、粘着層１４の一方の面１４ａ（図示上面）に成形部品２が貼り合わされる。このような粘着テープ付きクリップ１は、例えば、ガラスやセラミックといった穴開けが困難な部材にクリップを取り付ける必要がある場合などに使用されるが、用途はこれらに限定される訳ではなく、種々の用途に用いることができる。
【００１７】
続いて、上述した構成を備える粘着テープ付きクリップ１を製造する製造装置及び製造方法について、図３及び図４を参照しながら説明する。
【００１８】
製造装置２１は、射出成形機２２、製品取り出し機２３、ガイド２４、ベルトコンベア２５、洗浄液タンク２６、洗浄液塗布部２７、ドライヤー２８、プライマータンク２９、プライマー塗布部３０、ドライヤー３１、粘着テープ供給機構３２、貼り合わせローラ３３、送りアーム３４、及び、切断刃３５を含んで構成される。
【００１９】
射出成形機２２は、例えば樹脂を射出成形する射出成形機である。射出成形に用いられる樹脂としては、ポリプロピレン、ポリエチレン、ポリブチレンテレフタレート、ナイロン、ＡＢＳ、またはポリアセタールを例示することができる。射出成形機２２は、図４に示されるように、成形部品２が６個連結されて一体となった一体成形品２０を射出成形によって形成する。なお、他の成形方法によって一体成形品２０を形成してもよい。
【００２０】
射出成形機２２で形成された一体成形品２０は、製品取り出し機２３によって射出成形機２２からガイド２４上に載置される。これにより、一体成形品２０が準備される。ガイド２４は、ベルトコンベア２５によって図示矢印Ａの方向に進むように構成される。成形部品２の連結個数は、６個に限定される訳ではなく、２個、４個、８個、１６個、３２個等を適宜選択することができる。
【００２１】
ガイド２４上に載置された一体成形品２０は、図示矢印Ａ方向に進み、洗浄液塗布部２７の上方に移動する。洗浄液塗布部２７は、洗浄液タンク２６と連結されており、洗浄液タンク２６内に収容された脱脂用の洗浄液を用いて、一体成形品２０の裏面を洗浄する。一体成形品２０の裏面は、粘着テープ３の貼り付け面になる。洗浄液塗布部２７によって裏面が洗浄された一体成形品２０は、その下流に配置されたドライヤー２８によって乾燥させられる。
【００２２】
ドライヤー２８によって乾燥した一体成形品２０は、図示矢印Ａ方向に更に進み、プライマー塗布部３０の上方に移動する。プライマー塗布部３０は、プライマータンク２９と連結されており、プライマータンク２９内に収容されたプライマーを用いて、一体成形品２０の裏面に所定の処理を施し、粘着テープ３と一体成形品２０の裏面との接着強度を向上させる。プライマー塗布部３０によって裏面にプライマーが塗布された一体成形品２０は、その下流に配置されたドライヤー３１によって乾燥させられる。接着性を向上させる方法として、一体成形品２０の裏面に対してコロナ処理やプラズマ処理を行ってもよい。
【００２３】
洗浄及びプライマー塗布が行われると、一体成形品２０は、その先端が貼り合わせローラ３３付近に位置するように移動する。粘着テープ供給機構３２は、ガイド２４と一体成形品２０の裏面との間にガイド２４と平行になるように長尺状の粘着テープ３を供給する装置である。粘着テープ供給機構３２は、ロール状に巻かれた粘着テープ３をガイド２４に移動方向に対して斜めになるように送り出す。粘着テープ供給機構３２は、粘着テープ３を送り出す際に粘着層７の粘着面が露出した側（ライナー８の貼り合わせ面と逆の面）が一体成形品２０の裏面側に対向するように、粘着テープ３をロール状に巻いている。
【００２４】
貼り合わせローラ３３は、粘着テープ供給機構３２から供給された粘着テープ３を一体成形品２０の裏面に貼り合わせるためのローラである。貼り合わせローラ３３により、粘着テープ３が一体成形品２０の裏面の略前面を覆うように貼り合わされる。なお、粘着テープ３が一体成形品２０の裏面の一部を覆うように貼り合わせてもよい。
【００２５】
送りアーム３４は、粘着テープ３が貼り合わされた一体成形品２０を所定の切断箇所に移動させるための移動装置である。粘着テープ３が貼り合わされた一体成形品２０が送りアーム３４の位置まで移動してきて一体成形品２０の先端が切断刃３５の真下まで来ると、送りアーム３４は、粘着テープ３が貼り合わされた一体成形品２０を、ベース部５の横幅方向に相当する切断距離の分、移動させる。なお、切断刃３５は、略矩形状の薄板から構成されており、先端（図示下方）に向かうにつれて鋭利となるように形成されている。
【００２６】
続いて、一体成形品２０が切断距離の分、移動させられると、切断刃３５を図示矢印Ｂ方向に所定速度で移動させることにより、一体成形品２０における最初の２つのクリップ部４の間の所定箇所を縦幅方向の全長にわたり粘着テープ３も含めて切断する。切断刃３５によって一体成形品２０における所定箇所を１つ切断すると、送りアーム３４で再び一体成形品をベース部５の幅方向に相当する切断距離の分、移動させ、再び切断刃３５による切断を行う。この移動及び切断を繰り返すことにより、複数の粘着テープ付きクリップ１を取得することができる。
【００２７】
以上のように、本実施形態に係る製造方法によれば、複数の成形部品２が一体化された一体成形品２０に粘着テープ３を貼り合わせた後に、この一体成形品２０の所定箇所を切断刃３５によって切断している。一体成形品２０の方が個別の成形部品２よりも大きいため、製品取り出し機２３のように一体成形品２０をそのままハンドリングできる機構を用いることができ、テープ３の貼り合わせ作業を容易なものにすることができる。また、一体成形品２０のテープ３の接着面も同様に大きな面積となるため、テープ３の貼り合わせ作業を行い易くなる。さらに、テープ３を貼り合わせた後に所定箇所で切断しているため、粘着テープ３による粘着領域を適正な範囲とすることができる。
【００２８】
以上、本発明の好適な実施形態について詳細に説明したが、本発明は上記実施形態に限定されるものではなく、種々の変形が可能である。例えば、上記実施形態では、製造装置２１の切断刃３５として一般的な矩形状の切断刃を用いたが、一体成形品２０を粘着テープ３と共に切断する切断刃として、回転刃を用いるようにしてもよい。回転刃は、外周に切断用の刃が形成された円板状の薄丸刃から構成されており、それを回転させることで、粘着テープ３が貼り合わされた一体成形品２０を切断して粘着テープ付きクリップ１を取得することができる。このような回転刃を用いた場合、その切断面にバリがほとんど形成されないので、粘着テープ付き部品の外観をより綺麗にすることができる。
【００２９】
また、上述した実施形態では、切断刃３５によって一体成形品２０を切断する際に、粘着テープ３を完全に切断するようにしていたが、図５の（ａ）及び（ｂ）に示されるように、粘着テープ３に貼り付けられたライナー８の端部８ａが未切断状態のまま複数の成形部品２を互いに分離させるように一体成形品２０を切断するようにしてもよい。このように切断することにより、一体成形品２０を構成する各成形部品２は分離されているもののライナー８によって互いに連なった状態であるため、粘着テープ付きクリップ１のハンドリング性を向上させることができる。しかも、各成形部品２や粘着テープ３の粘着層７は切断されているため、各部品同士の接着は防止できる。
【００３０】
また、上述した実施形態では、クリップ機能を備えた粘着テープ付きクリップを例として説明したが、上述した製造方法を用いて、図６の（ａ）及び（ｂ）に示されるように、ファスナー部４４及びベース部４５を有する面ファスナー４２に粘着テープ３を設けた粘着テープ付き面ファスナー４１を製造するようにしてもよい。この場合、図６の（ｃ）に示される一体成形品４６に対して粘着テープ３を貼り合わせ、その後、一体成形品４６を所定の箇所で粘着テープ３を含んで切断することで、粘着テープ付き面ファスナー４１を取得することができる。
【符号の説明】
【００３１】
１…粘着テープ付きクリップ、２…成形部品、３…粘着テープ、８…ライナー、８ａ…端部、２０，４６…一体成形品、３５…切断刃、４１…粘着テープ付き面ファスナー。
【図１】
0005950582.tif 000002
【図２】
0005950582.tif 000003
【図３】
0005950582.tif 000004
【図４】
0005950582.tif 000005
【図５】
0005950582.tif 000006
【図６】
0005950582.tif 000007